(57)【要約】      （修正有）【課題】ＳＭＳの送受信ができなくなることを抑制する。【解決手段】マルチ無線端末８は、回線交換方式のＣＤＭＡ２０００  １ｘと、パケット通信方式のＣＤＭＡ２０００  １ｘＥＶ−ＤＯ、ＬＴＥにより通信が可能とされている。検出部５４Ｂ、５４Ｃは、ＣＤＭＡ２０００  １ｘＥＶ−ＤＯ、ＬＴＥにより通信が可能か否かを検出する。通知部６９は、検出結果に基づき、ＳＭＳの通信を回線交換方式またはパケット通信方式の何れで行うかネットワーク上のＳＭＳの切替制御サーバへ通知する。【選択図】図３
2014103608.tif 000002
【特許請求の範囲】
【請求項１】
回線交換方式の第１の通信方式と、前記第１の通信方式よりも通信速度が速いパケット通信方式の第２の通信方式により通信が可能な無線端末装置であって、
前記第２の通信方式により通信が可能か否かを検出する検出部と、
前記検出部の検出結果に基づき、ＳＭＳ（Short  Message  Service）の通信を前記第１の通信方式または前記第２の通信方式の何れで行うかネットワーク上のＳＭＳの切替制御サーバへ通知する通知部と、
を有することを特徴とする無線端末装置。
【請求項２】
前記検出部は、前記第２の通信方式として、ＣＤＭＡ２０００  １ｘＥＶ−ＤＯ（Evolution-Data  Only）方式およびＬＴＥ（Long-Term  Evolution）方式によりそれぞれ通信が可能か否かを検出し、
前記通知部は、前記検出部の検出結果、ＣＤＭＡ２０００  １ｘＥＶ−ＤＯ方式およびＬＴＥ方式で共に通信が不能と検出された場合、ＳＭＳの通信を前記第１の通信方式で行うことを前記切替制御サーバへ通知する
ことを特徴とする請求項１に記載の無線端末装置。
【請求項３】
前記検出部の検出結果からＣＤＭＡ２０００  １ｘＥＶ−ＤＯ方式およびＬＴＥ方式が共に圏外であるか否かを示す第１の信号と、前記第１の信号の状態が変化するタイミングを示す第２の信号とを生成する信号生成部をさらに有し、
前記通知部は、前記第２の信号が示すタイミングで前記第１の信号が、ＣＤＭＡ２０００  １ｘＥＶ−ＤＯ方式およびＬＴＥ方式が共に圏外であることを示す状態である場合、ＳＭＳの通信を前記第１の通信方式で行うことを前記切替制御サーバへ通知する
ことを特徴とする請求項２に記載の無線端末装置。
【請求項４】
回線交換方式の第１の通信方式と、前記第１の通信方式よりも通信速度が速いパケット通信方式の第２の通信方式により通信が可能な無線端末装置のプロセッサに、
前記第２の通信方式により通信が可能か否かを検出する検出部の検出結果を取得し、
取得した検出結果に基づき、ＳＭＳ（Short  Message  Service）の通信を前記第１の通信方式または前記第２の通信方式の何れで行うかネットワーク上のＳＭＳの切替制御サーバへ通知する
処理を実行させることを特徴とする切替制御プログラム。
【請求項５】
回線交換方式の第１の通信方式と、前記第１の通信方式よりも通信速度が速いパケット通信方式の第２の通信方式により通信が可能な無線端末装置の切替制御方法であって、
前記無線端末装置は、
前記第２の通信方式により通信が可能か否かを検出する検出部の検出結果を取得し、
取得した検出結果に基づき、ＳＭＳ（Short  Message  Service）の通信を前記第１の通信方式または前記第２の通信方式の何れで行うかネットワーク上のＳＭＳの切替制御サーバへ通知する
処理を実行することを特徴とする切替制御方法。
【発明の詳細な説明】
【技術分野】
【０００１】
本発明は、無線端末装置、切替制御プログラムおよび切替制御方法に関する。
【背景技術】
【０００２】
近年、第３世代移動通信方式（３Ｇ：3rd  Generation）として、ＣＤＭＡ(Code  Division  Multiple  Access)２０００、ＣＤＭＡ２０００  １ｘ、およびＣＤＭＡ２０００  １ｘＥＶ−ＤＯ（Evolution-Data  Only）等の様々な通信方式が提案されている。ＣＤＭＡ２０００  １ｘは、ＣＤＭＡ２０００規格に含まれる技術仕様の一つであり、以下、単に「１ｘ」と称する。また、ＣＤＭＡ２０００  １ｘＥＶＤＯは、１ｘ方式を改良してパケット通信に特化し、その通信速度を高速化した規格であって、以下、単に「ＥＶＤＯ」と称する。
【０００３】
また、携帯電話機の無線通信の標準規格として、ＯＦＤＭＡ（Orthogonal  Frequency  Division  Multiplexing  Access）方式の通信を使用したＬＴＥ（Long-Term  Evolution）等のパケット通信方式が提案されている。
【０００４】
例えば、１ｘ方式やＥＶＤＯ方式等は、近年広く普及したサービスであるため、基地局の設置台数も多く、その通信エリアも広範囲に及ぶ。これに対し、ＬＴＥ方式は、１ｘ方式に比較すると、新しいサービスであるため、都市部を中心にサービス展開して、１ｘ方式やＥＶＤＯ方式の通信エリアに包含される狭い通信エリアである。
【０００５】
このような状況の下、携帯電話機等の無線端末では、例えば、１ｘ方式、ＥＶＤＯ方式やＬＴＥ方式等の複数の通信方式を通信可能とするマルチ無線端末が考案されている。マルチ無線端末では、例えば、音声通信に１ｘ方式を使用し、パケット通信にＥＶＤＯ方式やＬＴＥ方式を使用する。
【０００６】
ところで、従来の携帯電話機等の無線端末は、１ｘの回線交換方式の通信のみを用いてＳＭＳ（Short  Message  Service）の送受信を行う。１Ｘ、ＥＶＤＯ、ＬＴＥ各の通信方法を利用できるマルチ無線端末では、１ｘの回線交換方式より高速な通信を行えるＥＶＤＯ、ＬＴＥなどのパケット通信方式を用いてＳＭＳの送受信を行うことが求められている。
【先行技術文献】
【特許文献】
【０００７】
【特許文献１】特開２００８−２５２３３５号公報
【発明の概要】
【発明が解決しようとする課題】
【０００８】
しかしながら、パケット通信方式を用いてＳＭＳの送受信を行うと、通信網の状況によってはＳＭＳを長時間、送受信できないことが起こりうる。例えば、ＥＶＤＯやＬＴＥなどのパケット通信網が使用できないにも関わらず、サーバからパケット網を用いてＳＭＳを送受信するようになっている場合、ＳＭＳの受信を行えない場合がある。
【０００９】
一つの側面では、ＳＭＳの送受信ができなくなることを抑制できる無線端末装置、切替制御プログラムおよび切替制御方法を提供することを目的とする。
【課題を解決するための手段】
【００１０】
一つの案では、無線端末装置は、回線交換方式の第１の通信方式と、前記第１の通信方式よりも通信速度が速いパケット通信方式の第２の通信方式により通信が可能とされている。無線端末装置は、検出部と、通知部とを有する。検出部は、第２の通信方式により通信が可能か否かを検出する。通知部は、検出部の検出結果に基づき、ＳＭＳの通信を第１の通信方式または第２の通信方式の何れで行うかネットワーク上のＳＭＳの切替制御サーバへ通知する。
【発明の効果】
【００１１】
開示の態様では、ＳＭＳの送受信ができなくなることを抑制できる。
【図面の簡単な説明】
【００１２】
【図１】図１は、マルチ無線システムの一例を示す説明図である。
【図２】図２は、マルチ無線システム内の１ｘ／ＥＶＤＯ方式の通信エリアとＬＴＥ方式の通信エリアとの関係の一例を示す説明図である。
【図３】図３は、マルチ無線端末の一例を示す説明図である。
【図４】図４は、ＥＶＤＯ方式のパイロット信号のデータ構成を示す図である。
【図５】図５は、ＥＶＤＯ方式の通信エリア内であるか否かの検出方法を説明するための図である。
【図６】図６は、ＥＶＤＯ方式の通信エリア内であるか否かの検出方法を説明するための図である。
【図７】図７は、ＬＴＥ方式の無線フレームのデータ構成を示す図である。
【図８】図８は、ＬＴＥ方式の通信エリア内であるか否かの検出方法を説明するための図である。
【図９】図９は、ＬＴＥ方式の通信エリア内であるか否かの検出方法を説明するための図である。
【図１０】図１０は、信号生成部の構成の一例を示す図である。
【図１１】図１１は、信号生成回路の構成の一例を示す図である。
【図１２】図１２は、ＳＭＳ（ＤＡＮ）の動作の流れを示すシーケンス図である。
【図１３】図１３は、ＩＭＳ  Ｒｅｇｉｓｔｒａｔｉｏｎの動作の流れを示すシーケンス図である。
【図１４】図１４は、切替制御処理の手順を示すフローチャートである。
【図１５】図１５は、切替制御プログラムを実行する無線端末装置を示す説明図である。
【発明を実施するための形態】
【００１３】
以下、図面に基づいて、本願の開示する無線端末装置、切替制御プログラムおよび切替制御方法の実施例を詳細に説明する。なお、本実施例により、開示技術が限定されるものではない。また、以下に示す各実施例は、矛盾を起こさない範囲で適宜組み合わせても良い。
【実施例１】
【００１４】
図１は、マルチ無線システムの一例を示す説明図である。マルチ無線システム１は、１ｘネットワーク２と、ＥＶＤＯネットワーク３と、ＬＴＥネットワーク４と、ＩＭＳ（IP  Multimedia  Subsystem）５とを有する。マルチ無線システム１は、ＰＳＴＮ(Public  Switched  Telephone  Network)／ＩＳＤＮ(Integrated  Services  Digital  Network)６と、外部ＩＰ(Internet  Protocol)ネットワーク７と、マルチ無線端末８とを有する。
【００１５】
１ｘネットワーク２は、ＭＣ（Message  Center）１１と、ＨＬＲ（Home  Location  Register)１２と、ＭＳＣ（Mobile  Switching  Center）１３と、ＧＭＳＣ（Gateway  Mobile  Switching  Center）１４とを有する。ＭＣ１１は、メッセージを管理しており、例えば、メッセージを配信する。ＨＬＲ１２は、１ｘネットワーク２内のサービス加入者の加入者情報、サービス加入者の位置情報および認証情報を対応付けて登録管理する。ＭＳＣ１３は、各１ｘ／ＥＶＤＯ基地局９Ａとの間で交換接続する。ＧＭＳＣ１４は、ＰＳＴＮ／ＩＳＤＮ６と接続する交換機９Ｂと、ＭＳＣ１３とを交換接続する。
【００１６】
ＥＶＤＯネットワーク３は、ｅＰＣＦ（evolved  Packet  Control  Function）２１と、ＨＳＧＷ(High  Rate  Packet  Data  Serving  Gateway)２２と、Ｐ−ＡＡＡ(Proxy-Authentication,  Authorization  and  Accounting)２３とを有する。ｅＰＣＦ２１は、１ｘ／ＥＶＤＯ基地局９Ａと接続してパケットのルーティング機能を司る。ＨＳＧＷ２２は、ＥＶＤＯ方式の高速パケットデータに変換する。Ｐ−ＡＡＡ２３は、ＥＶＤＯネットワーク３内の加入者の認証、承認および課金を管理する。
【００１７】
ＬＴＥネットワーク４は、ＨＳＳ（Home  Subscriber  Server）３１と、ＭＭＥ（Mobility  Management  Entity）３２と、Ｓ−ＧＷ（Serving-Gateway）３３と、Ｐ−ＧＷ（Packet  Data  Network  Gateway）３４とを有する。ＨＳＳ３１は、ＬＴＥネットワーク４内の加入者情報等を管理する。ＭＭＥ３２は、ＬＴＥ基地局９ＣとＳ−ＧＷ３３とを接続し、ＬＴＥネットワーク４内のシーケンス制御、ハンドオーバ機能、サービス加入者の位置管理、ＬＴＥ基地局９Ｃに対する着信時のページング機能等のネットワーク制御を司る。Ｓ−ＧＷ３３は、ＬＴＥ基地局９Ｃと接続してパケットのルーティング機能を司る。Ｐ−ＧＷ３４は、ＥＶＤＯネットワーク３内のＨＳＧＷ２２と、外部ＩＰネットワーク７と、Ｓ−ＧＷ３３とを通信接続するゲートウェイである。Ｐ−ＧＷ３４は、例えば、ＥＶＤＯネットワーク３とＬＴＥネットワーク４との間をシームレスにパケット通信する。また、ＨＳＳ３１およびＰ−ＡＡＡ２３は、ＥＶＤＯネットワーク３およびＬＴＥネットワーク４で共有化して使用されるものである。
【００１８】
ＩＭＳ５は、固定電話網や移動体通信網などの異なる通信サービスをＩＰ技術やＳＩＰ（Session  Initiation  Protocol）で統合してデータを中継するシステムである。ＩＭＳ５は、Ｐ−ＣＳＣＦ（Proxy  Call  Session  Control  Function）４１と、Ｓ−ＣＳＣＦ（Serving  Call  Session  Control  Function）４２と、Ｉ−ＣＳＣＦ（Interrogating  Call  Session  Control  Function）４３とを有する。Ｐ−ＣＳＣＦ４１、Ｓ−ＣＳＣＦ４２およびＩ−ＣＳＣＦ４３は、それぞれ図示しないＳＩＰサーバ上で動作する。Ｐ−ＣＳＣＦ４１は、異なる通信サービスと通信を行う際にマルチ無線端末８などの外部端末からのアクセスを受け付ける。例えば、マルチ無線端末８は、ＥＶＤＯネットワーク３またはＬＴＥネットワーク４ではＰ−ＧＷ３４を介してＰ−ＣＳＣＦ４１にアクセスする。Ｓ−ＣＳＣＦ４２は、異なる通信サービス間のセッション制御を行う制御部である。Ｉ−ＣＳＣＦ４３は、他の通信サービスとの間のゲートウェイとして機能する制御部である。
【００１９】
マルチ無線端末８は、マルチ無線システム１内の各無線通信に対応可能なサービス加入者の端末である。ＶＣＣＡＣ１０は、例えば、第３世代携帯電話と外部ＩＰネットワーク７との間の音声通信のハンドオーバ機能を提供するサーバである。また、ＶＣＣＡＣ１０は、ＳＭＳの通信経路を制御しており、ＳＭＳの切替制御サーバでもある。
【００２０】
図２は、マルチ無線システム内の１ｘ／ＥＶＤＯ方式の通信エリアとＬＴＥ方式の通信エリアとの関係の一例を示す説明図である。図２に示すマルチ無線システム１は、例えば、１ｘ／ＥＶＤＯ方式の通信エリア７１と、ＬＴＥ方式の通信エリア７２とを有する。１ｘ／ＥＶＤＯ方式の通信エリア７１は、近年広く普及しているサービスであるため、その通信エリアも広範囲である。なお、１ｘ／ＥＶＤＯ方式の通信エリア７１では、音声通信サービスおよびパケット通信サービスを提供する。これに対して、ＬＴＥ方式の通信エリア７２は、１ｘ／ＥＶＤＯ方式の通信に比較して新しいサービスであり、人口の密集した都市を中心にパケット通信サービスを提供する。なお、ＬＴＥ方式の通信エリア７２では、高速パケット通信サービスを提供する。従って、ＬＴＥ方式の通信エリア７２では、１ｘ／ＥＶＤＯ方式の通信エリア７１に比較して狭い。１ｘ／ＥＶＤＯ方式の通信エリア７１では、複数の１ｘ／ＥＶＤＯ基地局９Ａを配置する。ＬＴＥ方式の通信エリア７２では、複数のＬＴＥ基地局９Ｃを配置する。
【００２１】
図３は、マルチ無線端末の一例を示す説明図である。図３に示すマルチ無線端末８は、１ｘデバイス５０Ａと、ＥＶＤＯデバイス５０Ｂと、ＬＴＥデバイス５０Ｃとを有する。マルチ無線端末８は、表示部６１と、操作部６２と、マイク６３と、スピーカ６４と、メモリ６５と、信号生成部６６と、ＣＰＵ（Central  Processing  Unit）６７とを有する。
【００２２】
１ｘデバイス５０Ａは、１ｘネットワーク２との無線通信を司るインタフェースである。１ｘデバイス５０Ａは、アンテナ５１Ａと、１ｘ無線部５２Ａと、１ｘベースバンド処理部５３Ａとを有する。１ｘ無線部５２Ａは、アンテナ５１Ａを経由して１ｘ方式に準拠した音声や文字等の各種データの無線信号を受信し、受信した無線信号を周波数変換する。１ｘベースバンド処理部５３Ａは、１ｘ無線部５２Ａで周波数変換された無線信号をベースバンド信号に変換し、変換されたベースバンド信号を復調する。また、１ｘベースバンド処理部５３Ａは、送信データをベースバンド信号に変調する。１ｘ無線部５２Ａは、１ｘベースバンド処理部５３Ａで変調されたベースバンド信号を周波数変換し、周波数変換された送信信号をアンテナ５１Ａ経由で出力する。
【００２３】
ＥＶＤＯデバイス５０Ｂは、ＥＶＤＯネットワーク３との無線通信を司るインタフェースである。ＥＸＤＯデバイス５０Ｂは、アンテナ５１Ｂと、ＥＶＤＯ無線部５２Ｂと、ＥＶＤＯベースバンド処理部５３Ｂとを有する。ＥＶＤＯ無線部５２Ｂは、アンテナ５１Ａを経由してＥＶＤＯ方式に準拠した音声や文字等の各種データの無線信号を受信し、受信した無線信号を周波数変換する。ＥＶＤＯベースバンド処理部５３Ｂは、検出部５４Ｂを有する。ＥＶＤＯベースバンド処理部５３Ｂは、ＥＶＤＯ無線部５２Ｂで周波数変換された無線信号をベースバンド信号に変換し、変換されたベースバンド信号を復調する。また、ＥＶＤＯベースバンド処理部５３Ｂは、送信データをベースバンド信号に変調する。ＥＶＤＯ無線部５２Ｂは、ＥＶＤＯベースバンド処理部５３Ｂで変調されたベースバンド信号を周波数変換し、周波数変換された送信信号をアンテナ５１Ｂ経由で出力する。
【００２４】
検出部５４Ｂは、ＥＶＤＯ方式により通信が可能か否かを検出する。例えば、検出部５４Ｂは、ＥＶＤＯ無線部５２Ｂで周波数変換された無線信号に基づき、ＥＶＤＯ方式の通信エリア内であるか否かにより、通信が可能か否かを検出する。検出部５４Ｂは、ＥＶＤＯ方式の通信が可能か否かの検出結果を示す信号を信号生成部６６へ出力する。例えば、検出部５４Ｂは、ＥＶＤＯ方式の通信エリア内であり、ＥＶＤＯ方式により通信が可能である場合、ローレベルの信号を信号生成部６６へ出力する。また、検出部５４Ｂは、ＥＶＤＯ方式の通信エリア外であり、ＥＶＤＯ方式により通信が不可能である場合、ハイレベルの信号を信号生成部６６へ出力する。
【００２５】
ここで、ＥＶＤＯ方式の通信エリア内であるか否かの検出方法について一例を説明する。ＥＶＤＯ方式では、データをＰＮ（Pseudorandom  Noise）コードにより符号化して送信する。各１ｘ／ＥＶＤＯ基地局９Ａは、５１２通りの基地局用のＰＮコードの中からＰＮコードが割り当てられ、割り当てられたＰＮコードによりデータを符号化して送信する。また、１ｘ／ＥＶＤＯ基地局９Ａは、パイロット信号などの制御信号と通信データとを多重して送信する。このパイロット信号とは、ある決まったビットパターンの信号であり、ＰＮコードによる符号化の周期と同期させて周期的に送信される信号である。
【００２６】
図４は、ＥＶＤＯ方式のパイロット信号のデータ構成を示す図である。図４に示すように、ＥＶＤＯ方式のパイロット信号は、バースト状になっており１０２４チップ（０．５Ｓｌｏｔ）中に９６チップが挿入された構成である。このため、ＥＶＤＯベースバンド処理部５３Ｂでは、パイロット信号がバースト状であることを考慮して同期を行う。
【００２７】
図５および図６は、ＥＶＤＯ方式の通信エリア内であるか否かの検出方法を説明するための図である。マルチ無線端末８がＥＶＤＯ方式の通信エリアから外れると、ＥＶＤＯベースバンド処理部５３Ｂは、図５に示すように、同期はずれを起こし、圏外処理を行う。この圏外処理は、これまで通信を行っていた１ｘ／ＥＶＤＯ基地局９Ａとの再同期を試みる期間であり、例えば、６００ｍｓとされている。ＥＶＤＯベースバンド処理部５３Ｂは、圏外処理の期間を経過すると、通信可能な１ｘ／ＥＶＤＯ基地局９Ａを検索する検索処理を行う。検索処理では、４セットのＢａｎｄサーチを行う。本実施例ではＥＶＤＯの周波数候補として周波数ｆ１、ｆ２、ｆ３の３つがあるものとする。１つの周波数に対するＢａｎｄサーチは、図６に示すように、ＲＳＳＩ（Received  Signal  Strength  Indication）測定および粗い符号同期処理と、詳細符号同期処理およびＣＩＮＲ（Carrier  to  Interference  and  Noise  Ratio）測定からなる。ＲＳＳＩ測定および粗い符号同期処理は、例えば、１８０ｍｓとされている。詳細符号同期処理およびＣＩＮＲ測定は、例えば、１２０ｍｓとされている。よって、１つの周波数に対するＢａｎｄサーチは、例えば、３００ｍｓである。周波数ｆ１で見つからない場合は、周波数ｆ２、ｆ３に対して同様の処理を行う。周波数ｆ１、ｆ２、ｆ３に対する１セットのサーチは９００ｍｓの時間を要する。４セットのＢａｎｄサーチとはこの周波数ｆ１、ｆ２、ｆ３に対するサーチを４回行うことである。粗い符号同期処理は、５１２通りの基地局用のＰＮコードを順次選択し、選択したＰＮコードをシフトさせて同期候補のＰＮコードを探す処理である。詳細符号同期処理は、粗い符号同期処理で見つかったＰＮコードに対して同期する位相をサーチする処理である。検出部５４Ｂは、圏外処理と４セットのＢａｎｄサーチを行っても何れの１ｘ／ＥＶＤＯ基地局９Ａとも同期できない場合、通信エリア外と判定する。ＥＶＤＯベースバンド処理部５３Ｂは、一旦、通信エリア外となると、待機時間を経過する毎に、１セットのＢａｎｄサーチを繰り返す。この待機時間は、通信エリア外と判定される毎に、例えば、２秒、４秒と最大１８００秒まで順次延長される。
【００２８】
図３に戻り、ＬＴＥデバイス５０Ｃは、ＬＴＥネットワーク４との無線通信を司るインタフェースである。ＬＴＥデバイス５０Ｃは、アンテナ５１Ｃと、ＬＴＥ無線部５２Ｃと、ＬＴＥベースバンド処理部５３Ｃとを有する。ＬＴＥ無線部５２Ｃは、アンテナ５１Ｃを経由してＬＴＥ方式に準拠した音声や文字等の各種データの無線信号を受信し、受信した無線信号を周波数変換する。ＬＴＥベースバンド処理部５３Ｃは、検出部５４Ｃを有する。ＬＴＥベースバンド処理部５３Ｃは、ＬＴＥ無線部５２Ｃで周波数変換された無線信号をベースバンド信号に変換し、変換されたベースバンド信号を復調する。また、ＬＴＥベースバンド処理部５３Ｃは、送信データをベースバンド信号に変調する。ＬＴＥ無線部５２Ｃは、ＬＴＥベースバンド処理部５３Ｃで変調されたベースバンド信号を周波数変換し、周波数変換された送信信号をアンテナ５１Ｃ経由で出力する。
【００２９】
検出部５４Ｃは、ＬＴＥ方式により通信が可能か否かを検出する。例えば、検出部５４Ｃは、ＬＴＥ無線部５２Ｃで周波数変換された無線信号に基づき、ＬＴＥ方式の通信エリア内であるか否により、通信が可能か否かを検出する。検出部５４Ｃは、ＬＴＥ方式の通信が可能な否かの検出結果を示す信号を信号生成部６６へ出力する。例えば、検出部５４Ｃは、ＬＴＥ方式の通信エリア内であり、ＬＴＥ方式により通信が可能である場合、ローレベルの信号を信号生成部６６へ出力する。また、検出部５４Ｃは、ＬＴＥ方式の通信エリア外であり、ＬＴＥ方式により通信が不可能である場合、ハイレベルの信号を信号生成部６６へ出力する。
【００３０】
ここで、ＬＴＥ方式の通信エリア内であるか否かの検出方法について一例を説明する。ＬＴＥ方式では、ＯＦＤＭＡを用いて時間、周波数を多重化してデータを送受信する。例えば、ＬＴＥ方式では、例えば、１２個のサブキャリアにそれぞれ無線フレームを同期させて送信する。
【００３１】
図７は、ＬＴＥ方式の無線フレームのデータ構成を示す図である。無線フレームは、１フレームが１０ｍｓの長さとされ、１ｍｓの長さの１０個のサブフレームにより構成されている。サブフレームは、２つのスロットにより構成されている。スロットは、７個のシンボルにより構成されている。ＬＴＥ方式では、送信データを何れのサブキャリアの無線フレームのスロットに割り当て同期させて送信する。
【００３２】
図８および図９は、ＬＴＥ方式の通信エリア内であるか否かの検出方法を説明するための図である。マルチ無線端末８がＬＴＥ方式の通信エリアから外れると、ＬＴＥベースバンド処理部５３Ｃは、図８に示すように、同期はずれを起こし、圏外処理を行う。この圏外処理は、これまで通信を行っていたＬＴＥ基地局９Ｃとの再同期を試みる期間であり、例えば、６００ｍｓとされている。ＬＴＥベースバンド処理部５３Ｃは、圏外処理の期間を経過すると、通信可能なＬＴＥ基地局９Ｃを検索する検索処理を行う。この検索処理では、図９に示すように、４セットのＢａｎｄサーチを行う。本実施例ではＬＴＥの周波数候補として周波数ｆ１、ｆ２、ｆ３の３つがあるものとする。１つの周波数に対するＢａｎｄサーチは、ＲＳＳＩ測定およびＰｒｉｍａｒｙ符号同期処理と、Ｓｅｃｏｎｄａｒｙ符号同期処理およびＣＩＮＲ測定からなる。ＲＳＳＩ測定およびＰｒｉｍａｒｙ符号同期処理は、例えば、６０ｍｓとされている。Ｓｅｃｏｎｄａｒｙ符号同期処理およびＣＩＮＲ測定は、例えば、４０ｍｓとされている。よって、１つの周波数に対するＢａｎｄサーチは、例えば、１００ｍｓである。周波数ｆ１で見つからない場合は、周波数ｆ２、ｆ３に対して同様の処理を行う。周波数ｆ１、ｆ２、ｆ３に対する１セットのサーチは３００ｍｓの時間を要する。４セットのＢａｎｄサーチとはこの周波数ｆ１、ｆ２、ｆ３に対するサーチを４回行うことである。検出部５４Ｃは、圏外処理と４セットのＢａｎｄサーチを行っても何れのＬＴＥ基地局９Ｃとも同期できない場合、通信エリア外と判定する。検出部５４Ｃは、通信エリア外と判定すると、待機時間を経過する毎に、１セットのＢａｎｄサーチを繰り返す。待機時間は、通信エリア外と判定される毎に、例えば、２秒、４秒と最大１８００秒まで順次延長される。
【００３３】
図３に戻り、表示部６１は、各種情報を画面表示する出力インタフェースである。操作部６２は、各種情報を入力する入力インタフェースである。マイク６３は、各種音声を収音する入力インタフェースである。スピーカ６４は、各種音声を音響出力する出力インタフェースである。メモリ６５は、各種情報を記憶する領域である。
【００３４】
信号生成部６６は、検出部５４Ｂおよび検出部５４Ｃからそれぞれ入力する信号に基づき、各種の信号を生成する。例えば、信号生成部６６は、検出部５４Ｂおよび検出部５４Ｃからそれぞれ入力する信号からＥＶＤＯ方式およびＬＴＥ方式が共に圏外であるか否かを示す第１の信号を生成する。また、信号生成部６６は、第１の信号の状態が変化するタイミングを示す第２の信号を生成する。信号生成部６６は、生成した第１の信号および第２の信号をＣＰＵ６７へ出力する。
【００３５】
図１０は、信号生成部の構成の一例を示す図である。信号生成部６６は、アンド回路７１と、信号生成回路７２とを有する。アンド回路７１は、検出部５４Ｂおよび検出部５４Ｃからの信号が入力しており、２つの信号のアンド結果を信号生成回路７２へ出力する。例えば、アンド回路７１は、検出部５４Ｂおよび検出部５４Ｃからそれぞれ通信エリア外であることを示すハイレベルの信号が入力した場合、ハイレベルの信号を出力する。また、アンド回路７１は、検出部５４Ｂおよび検出部５４Ｃの一方または両方から通信エリア内であることを示すローレベルの信号が入力した場合、ローレベルの信号を出力する。
【００３６】
信号生成回路７２には、アンド回路７１から出力された信号が入力する。また、アンド回路７１には、一定周期毎に、信号の判断のタイミングを示すクロック信号が入力する。本実施例では、クロック信号の周期を、例えば、５秒とする。
【００３７】
図１１は、信号生成回路の構成の一例を示す図である。信号生成回路７２は、２つのＤ−ＦＦ（フリップフロップ）回路８１、８２と、比較回路８３とを有する。Ｄ−ＦＦ回路８１は、Ｄ端子がアンド回路７１の出力に接続され、クロック端子にクロック信号が接続され、Ｑ端子がＤ−ＦＦ回路８２のＤ端子と、比較回路８３の一方の入力であるＢ端子とに接続されている。Ｄ−ＦＦ回路８２は、Ｄ端子がＤ−ＦＦ回路８１のＱ端子に接続され、クロック端子にクロック信号が接続され、Ｑ端子が比較回路８３の他方の入力であるＡ端子に接続されている。
【００３８】
Ｄ−ＦＦ回路８１は、クロック端子にクロック信号が入力したタイミングでＤ端子に入力する信号の状態を保持し、Ｑ端子から保持した状態の信号を出力する。Ｄ−ＦＦ回路８２は、クロック端子に次にクロック信号が入力すると、Ｄ−ＦＦ回路８１のＱ端子の信号の状態を保持し、Ｑ端子から保持した状態の信号を出力する。よって、Ｄ−ＦＦ回路８１のＱ端子から出力された信号は、１クロック分ずれて、Ｄ−ＦＦ回路８２のＱ端子から出力される。
【００３９】
比較回路８３は、Ａ端子に、Ｂ端子よりも１クロック分ずれた比較回路８３の比較結果の信号が入力する。比較回路８３は、Ａ端子の信号を反転させた信号と、Ｂ端子の信号を反転させた信号とを比較し、一致した場合、ハイレベルの信号を出力し、不一致の場合、ローレベルの信号を出力する。すなわち、比較回路８３は、１クロック分ずれた比較回路８３の比較結果の信号を比較しており、信号が変化した場合にハイレベルの信号を出力する。信号生成回路７２は、この比較回路８３から出力される信号を第２の信号としてＣＰＵ６７へ出力する。また、信号生成回路７２は、Ｄ−ＦＦ回路８１のＱ端子から出力される信号を第１の信号としてＣＰＵ６７へ出力する。
【００４０】
第１の信号は、ハイレベルの場合、ＥＶＤＯ方式およびＬＴＥ方式が共に圏外であることを示し、ローレベルの場合、ＥＶＤＯ方式、ＬＴＥ方式の両方または一方が通信エリア内であることを示す。第２の信号は、ハイレベルの場合、第１の信号の状態が変化したことを示し、ローレベルの場合、第１の信号の状態に変化が無いことを示す。
【００４１】
図３に戻り、ＣＰＵ６７は、マルチ無線端末８全体を制御する。ＣＰＵ６７は、メモリ６５や不図示のフラッシュメモリなどの記憶部に格納された各種のプログラムが動作することにより各種の処理部として機能する。例えば、ＣＰＵ６７は、ＳＭＳ通信部６８と、通知部６９とを有する。
【００４２】
ＳＭＳ通信部６８は、ネットワークからのポイントトゥポイントでＳＭＳを送受信する。ＳＭＳ通信部６８は、例えば、１ｘデバイス５０Ａ、ＥＶＤＯデバイス５０ＢまたはＬＴＥデバイス５０Ｃを通じてＳＭＳを送受信する。ＳＭＳ通信部６８は、通常、ＥＶＤＯデバイス５０ＢまたはＬＴＥデバイス５０Ｃを通じてＥＶＤＯネットワーク３またはＬＴＥネットワーク４のパケット通信網経由でＳＭＳ（SMS  over  IMS）を送受信する。また、ＳＭＳ通信部６８は、通信可能なパケット通信網がない場合、１ｘデバイス５０Ａを通じて１ｘネットワーク２経由でＳＭＳ（SMS  over  1x）を送受信する。
【００４３】
通知部６９は、検出部５４Ｂおよび検出部５４Ｃの検出結果に基づき、ＳＭＳの通信を回線交換方式またはパケット通信方式の何れで行うかを、ネットワーク上のＳＭＳの切替制御サーバであるＶＣＣＡＣ１０へ通知する。例えば、通知部６９は、第２の信号がハイレベルとなったタイミングで第１の信号に基づき、ＥＶＤＯ方式およびＬＴＥ方式で共に通信が不能であるか判定する。通知部６９は、第１の信号がハイレベルであり、ＥＶＤＯ方式およびＬＴＥ方式で共に通信が不能と検出された場合、ＳＭＳの通信を１ｘ方式で行うことをＶＣＣＡＣ１０へ通知する。例えば、通知部６９は、１ｘネットワーク２を使用してＤｏｍａｉｎ  Ａｖａｉｌａｂｉｌｉｔｙ  Ｎｏｔｉｆｉｃａｔｉｏｎ（以下「ＳＭＳ（ＤＡＮ）」を称する）をＶＣＣＡＣ１０へ送信して、ＳＭＳの通信を１ｘ方式で行うことを通知する。
【００４４】
図１２は、ＳＭＳ（ＤＡＮ）の動作の流れを示すシーケンス図である。
（１）マルチ無線端末８は、１ｘネットワーク２を使用してＭＳ１１へＳＭＳ（ＤＡＮ）メッセージを送る。
（２）ＭＳ１１は、ＳＭＳ（ＤＡＮ）をＶＣＣＡＣ１０へ送る。
（３）ＶＣＣＡＣ１０は、ＳＭＳ通信の切替えが完了すると、ＳＭＳ＿ＡＣＫをＭＳ１１へ返信する。
（４）ＭＳ１１は、ＳＭＳ＿ＡＣＫをマルチ無線端末８へ返信する。
【００４５】
これにより、マルチ無線システム１は、ＳＭＳ通信のＤｏｍａｉｎが１ｘ方式に切り替わるため、ＳＭＳの送受信ができなくなることを抑制できる。特に、マルチ無線端末８がＯＴＡ(Over  the  Air  Activation)設定のコマンドのＳＭＳにより送受信している場合、ＯＴＡ設定のコマンドは、コンフィグレーションに関する情報であり、速やかに受信する必要がある。そこで、マルチ無線端末８は、パケット網が圏外となった場合にＳＭＳ（ＤＡＮ）を直ぐに送信してＳＭＳ通信を１ｘ方式に切り替えることにより、ＳＭＳによりＯＴＡ設定のコマンドを速やかに受信できる。
【００４６】
一方、通知部６９は、第１の信号がローレベルであり、ＥＶＤＯ方式およびＬＴＥ方式の両方または何れか一方で共に通信が可能と検出された場合、ＥＶＤＯ方式またはＬＴＥ方式の何れかパケット通信方式でＳＭＳの通信を行うことをＶＣＣＡＣ１０へ通知する。例えば、通知部６９は、通信が可能であるＥＶＤＯネットワーク３またはＬＴＥネットワーク４を使用してＩＭＳ  Ｒｅｇｉｓｔｒａｔｉｏｎを行い、ＳＭＳの通信をパケット通信により行うことを通知する。
【００４７】
図１３は、ＩＭＳ  Ｒｅｇｉｓｔｒａｔｉｏｎの動作の流れを示すシーケンス図である。
（１）（２）マルチ無線端末８は、通信が可能であるＥＶＤＯネットワーク３またはＬＴＥネットワーク４を使用して、Ｐ−ＣＳＣＦ４１を介してＩ−ＣＳＣＦ４３へＳＩＰ  ＲＥＧＩＳＴＥＲメッセージを送る。
（３）Ｉ−ＣＳＣＦ４３は、Ｓ−ＣＳＣＦ４２よりＳＩＰ  ＵＲＩ（Uniform  Resource  Identifier）を取得するため、ＨＳＳ３１へＣｘ  Ｕｓｅｒ  Ｒｅｇｉｓｔｒａｔｉｏｎ  Ｑｕｅｒｙメッセージを送る。
（４）ＨＳＳ３１は、Ｉ−ＣＳＣＦ４３へＳ−ＣＳＣＦ４２のＳＩＰ  ＵＲＩと共にＣｘ  Ｕｓｅｒ  Ｒｅｇｉｓｔｒａｔｉｏｎ  Ｒｅｓｐｏｎｓｅメッセージを返す。
（５）Ｉ−ＣＳＣＦ４３は、Ｓ−ＣＳＣＦ４２へＳＩＰ  ＲＥＧＩＳＴＥＲメッセージを送る。
（６）Ｓ−ＣＳＣＦ４２は、ＨＳＳ３１へＣｘ  Ｐｕｌｌメッセージを送る。
（７）ＨＳＳ３１は、Ｓ−ＣＳＣＦ４２へＶＣＣＡＣ１０のｉＦＣ（Initial  Filter  Criteria）とユーザ・プロファイル情報と共にＣｘ  Ｐｕｌｌ  Ｒｅｓｐｏｎｓｅメッセージを送る。
（８）Ｓ−ＣＳＣＦ４２は、Ｉ−ＣＳＣＦ４３へＳＩＰ  ２００  ＯＫを送る。
（９）Ｉ−ＣＳＣＦ４３はＰ−ＣＳＣＦ４１へＳＩＰ  ２００  ＯＫを送る。
（１０）Ｐ−ＣＳＣＦ４１は、マルチ無線端末８へＳＩＰ  ２００  ＯＫを送る。
（１１）Ｓ−ＣＳＣＦ４２は、マルチ無線端末８がＳ−ＣＳＣＦ４２へレジストレーションしたことを示すため、ＶＣＣＡＣ１０へＳＩＰ  ｔｈｉｒｄ−ｐａｒｔｙ  ｒｅｇｉｓｔｒａｔｉｏｎを実行し、ＳＭＳ通信を１ｘ方式で行うように切替える。
（１２）ＶＣＣＡＣ１０は、切替えが完了すると、Ｓ−ＣＳＣＦ４２へＳＩＰ  ２００  ＯＫを送る。
【００４８】
これにより、ＳＭＳ通信のＤｏｍａｉｎがパケット通信に切り替わるため、ＳＭＳのデータをより速い速度で送受信できる。例えば、ＳＭＳ通信を１ｘ方式で行うように一旦切り替わった場合でも、パケット網が通信可能となった場合に、ＩＭＳ  Ｒｅｇｉｓｔｒａｔｉｏｎを直ぐに行うことにより、ＳＭＳをパケット通信により行うことができる。
【００４９】
また、通知部６９は、パケット網が通信可能または通信不能が切り替わった際に、送信したＳＭＳの切替えコマンドをメモリ６５に記憶する。そして、通知部６９は、次にＳＭＳの切替えコマンドを送信する際に、同じコマンドがメモリ６５に記憶されている場合、コマンドの送信を中止する。例えば、通知部６９は、ＳＭＳ（ＤＡＮ）またはＩＭＳ  Ｒｅｇｉｓｔｒａｔｉｏｎを行った場合、メモリ６５に前回のコマンドとして記憶する。そして、通知部６９は、第１の信号が再度ハイレベルとなり、ＳＭＳ（ＤＡＮ）またはＩＭＳ  Ｒｅｇｉｓｔｒａｔｉｏｎを行う際に、メモリ６５に記憶されている前回のコマンドが今回のコマンドと同じ場合、コマンドの実行を中止する。これにより、同じＳＭＳの切替えコマンドが複数回実行されることを防ぐことができる。
【００５０】
次に、本実施例に係るマルチ無線端末８がＳＭＳの通信経路を切替える切替制御処理の流れを説明する。図１４は、切替制御処理の手順を示すフローチャートである。この切替制御処理は、例えば、第２の信号がハイレベルとなったタイミングで実行される。
【００５１】
通知部６９は、メモリ６５から前回のコマンドを読み出す（Ｓ１０）。メモリ６５に前回のコマンドが記憶されていない、前回のコマンドは、例えば、ＮＵＬＬなど前回のコマンドが無いことを示す情報とする。
【００５２】
通知部６９は、第１の信号がハイレベルであるか否か判定する（Ｓ１１）。第１の信号がハイレベルである場合（Ｓ１１肯定）、通知部６９は、前回のコマンドがＳＭＳ（ＤＡＮ）であるか否かを判定する（Ｓ１２）。前回のコマンドがＳＭＳ（ＤＡＮ）ではない場合（Ｓ１２否定）、通知部６９は、１ｘネットワーク２を使用してＭＳ１１を介してＳＭＳ（ＤＡＮ）をＶＣＣＡＣ１０へ送信して、ＳＭＳの通信を１ｘ方式で行うことを通知し（Ｓ１３）、処理を終了する。一方、前回のコマンドがＳＭＳ（ＤＡＮ）である場合（Ｓ１２肯定）、処理を終了する。
【００５３】
一方、第１の信号がハイレベルではない場合（Ｓ１１否定）、通知部６９は、前回のコマンドがＩＭＳ  Ｒｅｇｉｓｔｒａｔｉｏｎであるか否かを判定する（Ｓ１４）。前回のコマンドがＩＭＳ  Ｒｅｇｉｓｔｒａｔｉｏｎではない場合（Ｓ１４否定）、通知部６９は、通信が可能であるパケット網を使用してＩＭＳ  Ｒｅｇｉｓｔｒａｔｉｏｎを行ってＳＭＳのパケット通信で行うことを通知し（Ｓ１５）、処理を終了する。一方、前回のコマンドがＩＭＳ  Ｒｅｇｉｓｔｒａｔｉｏｎである場合（Ｓ１４肯定）、処理を終了する。
【００５４】
このように、マルチ無線端末８は、回線交換方式よりも通信速度が速いパケット通信方式により通信が可能か否かを検出する。マルチ無線端末８は、検出結果に基づき、ＳＭＳの通信を回線交換方式またはパケット通信方式の何れで行うかネットワーク上のＶＣＣＡＣ１０へ通知する。このように、マルチ無線端末８は、パケット通信方式により通信が不可能である場合、ＳＭＳの通信を回線交換方式への切替えを通知するので、ＳＭＳの送受信ができなくなることを抑制できる。
【００５５】
また、マルチ無線端末８は、パケット通信方式として、ＥＶＤＯ方式およびＬＴＥ方式によりそれぞれ通信が可能か否かを検出する。マルチ無線端末８は、検出結果、ＥＶＤＯ方式およびＬＴＥ方式で共に通信が不能と検出された場合、ＳＭＳの通信を回線交換方式で行うことを切替制御サーバへ通知する。このように、マルチ無線端末８は、パケット通信方式がＥＶＤＯ方式およびＬＴＥ方式と複数ある場合でも、全てのパケット通信方式で通信不能となると、ＳＭＳの通信を回線交換方式への切替えを通知するので、ＳＭＳの送受信ができなくなることを抑制できる。
【００５６】
また、マルチ無線端末８は、検出結果からＥＶＤＯ方式およびＬＴＥ方式が共に圏外であるか否かを示す第１の信号と、第１の信号の状態が変化するタイミングを示す第２の信号とを生成する信号生成部６６を有する。そして、マルチ無線端末８は、第２の信号が示すタイミングで第１の信号が、ＥＶＤＯ方式およびＬＴＥ方式が共に圏外であることを示す状態である場合、ＳＭＳの通信を回線交換方式で行うことをＶＣＣＡＣ１０へ通知する。このように、マルチ無線端末８は、第２の信号が示すタイミングで第１の信号に基づいて判定を行うことにより、常時、ＣＰＵ６７が第１の信号の状態を常時監視する必要が無くなるため、処理負荷を軽減できる。
【実施例２】
【００５７】
さて、これまで開示の装置に関する実施例について説明したが、開示の技術は上述した実施例以外にも、種々の異なる形態にて実施されてよいものである。そこで、以下では、本発明に含まれる他の実施例を説明する。
【００５８】
例えば、上記の実施例では、回線交換方式の通信方式として、１ｘ方式を用いた場合について説明したが、回線交換方式の通信方式としてはこれに限定されない。また、上記の実施例では、パケット通信方式の通信方式として、ＥＶＤＯ方式とＬＴＥ方式を用いた場合について説明したが、パケット通信方式の通信方式としてはこれに限定されない。例えば、ＬＴＥ方式の代わりにＷｉＭＡＸ（Worldwide  Interoperability  for  Microwave  Access）方式を適用したとしても同様の効果が得られる。また、上記の実施例では、パケット通信方式の通信方式を２とした場合について場合について説明したが、開示の装置はこれに限定されない。マルチ無線端末８は、パケット通信方式の通信方式を３以上の通信方式を備えていてもよい。例えば、マルチ無線端末８は、さらに無線ＬＡＮを有してもよい。
【００５９】
また、上記実施例では、マルチ無線端末８としてスマートフォンを例示したが、マルチ無線機能を備えたタブレット端末や情報端末に適用したとしても同様の効果が得られる。
【００６０】
また、図示した各部の各構成要素は、必ずしも物理的に図示の如く構成されていることを要しない。すなわち、各部の分散・統合の具体的形態は図示のものに限られず、その全部または一部を、各種の負荷や使用状況等に応じて、任意の単位で機能的または物理的に分散・統合して構成することができる。
【００６１】
更に、各装置で行われる各種処理機能は、ＣＰＵ（Central  Processing  Unit）（またはＭＰＵ（Micro  Processing  Unit）、ＭＣＵ（Micro  Controller  Unit）等のマイクロ・コンピュータ）上で、その全部または任意の一部を実行するようにしても良い。また、各種処理機能は、ＣＰＵ（またはＭＰＵ、ＭＣＵ等のマイクロ・コンピュータ）で解析実行するプログラム上、またはワイヤードロジックによるハードウェア上で、その全部または任意の一部を実行するようにしても良いことは言うまでもない。
【００６２】
ところで、本実施例で説明した各種の処理は、予め用意されたプログラムを無線端末装置で実行することで実現できる。そこで、以下では、上記実施例と同様の機能を有するプログラムを実行する無線端末装置の一例を説明する。図１５は、切替制御プログラムを実行する無線端末装置１００を示す説明図である。
【００６３】
図１５において切替制御プログラムを実行する無線端末装置１００では、ＲＯＭ１１０、ＲＡＭ１２０、プロセッサ１３０、操作部１４０、表示部１５０および通信部１６０を有する。そして、ＲＯＭ１１０には、上記実施例と同様の機能を発揮する切替制御プログラムが予め記憶されている。例えば、上記実施例の通知部６９と同様の機能を発揮する切替制御プログラムを記憶させる。なお、ＲＯＭ１１０ではなく、図示しないドライブで読取可能な記録媒体に切替制御プログラムが記録されていても良い。また、記録媒体としては、例えば、ＣＤ−ＲＯＭ、ＤＶＤディスク、ＵＳＢメモリ、ＳＤカード等の可搬型記録媒体、フラッシュメモリ等の半導体メモリ等でも良い。切替制御プログラムとしては、図１５に示すように、切替制御プログラム１１０Ａである。なお、切替制御プログラム１１０Ａについては、適宜統合または分散しても良い。
【００６４】
そして、プロセッサ１３０は、これらのプログラム１１０ＡをＲＯＭ１１０から読み出し、これら読み出された各プログラムを実行する。そして、プロセッサ１３０は、プログラム１１０Ａを、切替制御プロセス１３０Ａとして機能する。切替制御プロセス１３０Ａは、プロセッサ１３０を実施例の各処理部と同様に動作させる。通信部１６０は、ＬＴＥ方式を含む複数の通信方式でマルチ無線通信機能を有する。
【００６５】
無線端末装置１００のプロセッサ１３０は、パケット通信方式により通信が可能か否かの検出結果を取得する。プロセッサ１３０は、取得した検出結果に基づき、ＳＭＳの通信を回線交換方式またはパケット通信方式の何れで行うかネットワーク上のＶＣＣＡＣ１０へ通知する。その結果、無線端末装置１００は、ＳＭＳの送受信ができなくなることを抑制できる。
【符号の説明】
【００６６】
１  マルチ無線システム
８  マルチ無線端末
１０  ＶＣＣＡＣ
５０Ａ  １ｘデバイス
５０Ｂ  ＥＶＤＯデバイス
５０Ｃ  ＬＴＥデバイス
５４Ｂ  検出部
５４Ｃ  検出部
６６  信号生成部
６７  ＣＰＵ
６８  ＳＭＳ通信部
６９  通知部
【図１】
2014103608.tif 000003
【図２】
2014103608.tif 000004
【図３】
2014103608.tif 000005
【図４】
2014103608.tif 000006
【図５】
2014103608.tif 000007
【図６】
2014103608.tif 000008
【図７】
2014103608.tif 000009
【図８】
2014103608.tif 000010
【図９】
2014103608.tif 000011
【図１０】
2014103608.tif 000012
【図１１】
2014103608.tif 000013
【図１２】
2014103608.tif 000014
【図１３】
2014103608.tif 000015
【図１４】
2014103608.tif 000016
【図１５】
2014103608.tif 000017